(57)【要約】【課題】複数の動画コンテンツをユーザ操作に応じた順序で重ねて表示する。【解決手段】表示画面生成装置１００は、複数の動画コンテンツを取得する動画コンテンツ取得部１５０と、動画コンテンツ取得部により取得された動画コンテンツごとに再生される複数の表示領域を含み、複数の表示領域が奥行き方向に重ねて配置される表示画面を生成する表示画面生成部１５２と、ユーザ操作に応じていずれかの動画コンテンツを選択する選択部１５１と、を備え、表示画面生成部１５２は、選択部１５１により後に選択された動画コンテンツを含む表示領域ほど手前に重ねて表示される表示画面を生成する。【選択図】図２
2009265258.tif 000002
【特許請求の範囲】
【請求項１】
複数の動画コンテンツを取得する動画コンテンツ取得部と、
前記動画コンテンツ取得部により取得された前記動画コンテンツごとに再生される複数の表示領域を含み、前記複数の表示領域が奥行き方向に重ねて配置される表示画面を生成する表示画面生成部と、
ユーザ操作に応じていずれかの動画コンテンツを選択する選択部と、
前記表示画面生成部は、前記選択部により後に選択された前記動画コンテンツを含む表示領域ほど手前に重ねて表示される表示画面を生成する、表示画面生成装置。
【請求項２】
前記表示画面生成部は、前記奥行き方向に重ねて配置された複数の表示領域が、奥に配置されるほど手前に配置された表示領域よりも小さく表示される表示画面を生成する、請求項１に記載の表示画面生成装置。
【請求項３】
前記選択部による選択に応じて、前記表示領域の階層順位を決定する階層順位決定部を備え、
前記表示画面生成部は、前記階層順位決定部により決定された階層順位に応じて前記複数の動画コンテンツが階層的に重ねて表示される表示画面を生成する、請求項１または２のいずれかに記載の表示画面生成装置。
【請求項４】
前記階層順位決定部は、前記選択部により後に選択された前記動画コンテンツの階層順位を高くし、
前記表示画面生成部は、前記階層順位の高い前記動画コンテンツを含む表示領域を手前に重ねて表示される表示画面を生成する、請求項３に記載の表示画面生成装置。
【請求項５】
前記動画コンテンツ取得部により取得された前記動画コンテンツの特徴情報を抽出する特徴抽出部を備え、
前記階層順位決定部は、前記特徴抽出部により抽出された前記動画コンテンツの特徴情報に応じて前記複数の表示領域の階層順位を決定する、請求項３または４のいずれかに記載の表示画面生成装置。
【請求項６】
前記選択部は、ユーザ操作に応じて、前記表示画面に含まれる前記表示領域を選択し、
前記表示画面生成部は、前記選択部により選択された前記表示領域が手前に表示される表示画面を生成する、請求項１〜５のいずれかに記載の表示画面生成装置。
【請求項７】
前記選択部は、ユーザ操作に応じて、前記表示画面に含まれる前記表示領域を選択し、
前記表示画面生成部は、前記選択部により選択された前記表示領域を所望の方向に移動させた表示画面を生成する、請求項１〜６のいずれかに記載の表示画面生成装置。
【請求項８】
前記表示画面生成部は、前記表示領域の移動量に応じて前記表示領域の大きさを変化させる、請求項７に記載の表示画面生成装置。
【請求項９】
前記選択部は、ユーザ操作に応じて、前記表示画面に含まれる前記表示領域を選択し、
前記表示画面生成部は、前記選択部により選択された前記表示領域を大きくさせ、前記選択部により選択されていない前記表示領域を小さくさせた表示画面を生成する、請求項１〜８のいずれかに記載の表示画面生成装置。
【請求項１０】
前記選択部は、ユーザ操作に応じて、前記表示画面に含まれる前記表示領域を選択し、
前記表示画面生成部は、前記選択部により選択された前記表示領域に前記動画コンテンツの内容を示すタブを前記選択された表示領域に付加した表示画面を生成する、請求項１〜９のいずれかに記載の表示画面生成装置。
【請求項１１】
動画コンテンツを含む表示画面を生成する表示画面生成装置が、
複数の動画コンテンツを取得するステップと、
ユーザ操作に応じていずれかの動画コンテンツを選択するステップと、
前記取得された動画コンテンツごとに再生される複数の表示領域を含み、前記複数の表示領域が奥行き方向に重ねて配置され、前記選択された前記動画コンテンツを含む表示領域ほど手前に重ねて表示される表示画面を生成するステップと、
を含む、表示画面生成方法。
【請求項１２】
ユーザ操作に応じて選択された複数の動画コンテンツを含む複数の表示領域を有し、
前記複数の動画コンテンツは前記動画コンテンツ毎に再生され、
前記複数の表示領域は奥行き方向に重ねて配置され、
ユーザ操作により後に選択された動画コンテンツを含む表示領域ほど手前に重ねて表示される表示インターフェース。
【請求項１３】
前記奥行き方向に重ねて配置された表示領域は、奥に配置されるほど手前に配置された表示領域よりも小さく表示される、請求項１２に記載の表示インターフェース。
【発明の詳細な説明】
【技術分野】
【０００１】
本発明は、表示画面生成装置、表示画面生成方法および表示インターフェースに関し、特に、複数の動画コンテンツを表示する表示画面生成装置、表示画面生成方法および表示インターフェースに関する。
【背景技術】
【０００２】
近年、デジタル信号を利用した画像・音声技術が普及してきている。また、従来のアナログ方式によるテレビジョン放送に代わって、デジタル方式による放送が世界中で広がりつつある。デジタル方式による放送では、今後、多数のチャンネルを同時に視聴することが可能となってくる。例えば、多数の番組を提供する際に、各番組の内容を示すメニュー画面を階層的に表示したり、ユーザの操作に応じてメニュー画面の大きさを変えたりしてユーザの利便性を向上させる技術が開示されている（例えば、特許文献１）。
【０００３】
実際に２つ以上のチャンネルを同時に視聴する場合には、ディスプレイに多数の番組を並べて表示させることが考えられる。また、最も視聴したい番組の表示領域を大きくしたり、それ以外の番組の表示領域を小さくしたりして表示することも考えられる。
【０００４】
【特許文献１】国際公開第００／３３５７１パンフレット
【特許文献２】特開２０００−１０５６５１号公報
【発明の開示】
【発明が解決しようとする課題】
【０００５】
しかし、多数の番組を１画面に表示させた場合には、１つの番組を表示する領域が小さくなってしまうため視聴し難いという問題があった。また、最も視聴したい番組を視聴し易くするためには、当該番組を選択して表示領域を大きくする等の操作をしなければならないという問題があった。
そこで、本発明は、上記問題に鑑みてなされたものであり、本発明の目的とするところは、複数の動画コンテンツをユーザ操作に応じた順序で重ねて表示することが可能な表示画面生成装置、表示画面生成方法および表示インターフェースを提供することにある。
【課題を解決するための手段】
【０００６】
上記課題を解決するために、本発明のある観点によれば、複数の動画コンテンツを取得する動画コンテンツ取得部と、動画コンテンツ取得部により取得された動画コンテンツごとに再生される複数の表示領域を含み、複数の表示領域が奥行き方向に重ねて配置される表示画面を生成する表示画面生成部と、ユーザ操作に応じていずれかの動画コンテンツを選択する選択部と、表示画面生成部は、選択部により後に選択された動画コンテンツを含む表示領域ほど手前に重ねて表示される表示画面を生成する、表示画面生成装置が提供される。
【０００７】
かかる構成によれば、取得された複数の動画コンテンツを複数の表示領域が奥行き方向に重ねて配置される表示画面が生成される。当該動画コンテンツは、ユーザ操作に応じて選択され、後に選択された動画コンテンツを含む表示領域ほど手前に重ねて表示される表示画面が生成される。これにより、複数の動画コンテンツをユーザ操作に応じた順序で重ねて表示することが可能となる。ユーザによるリモコン操作等により複数の動画コンテンツが選択されるだけで、過去に視聴した動画コンテンツの表示領域に重ねてユーザの視聴したい動画コンテンツを手前の表示領域に再生することができる。
【０００８】
また、上記表示画面生成部は、奥行き方向に重ねて配置された複数の表示領域が、奥に配置されるほど手前に配置された表示領域よりも小さく表示される表示画面を生成してもよい。
【０００９】
また、上記選択部による選択に応じて、表示領域の階層順位を決定する階層順位決定部を備え、表示画面生成部は、階層順位決定部により決定された階層順位に応じて複数の動画コンテンツが階層的に重ねて表示される表示画面を生成してもよい。
【００１０】
また、上記階層順位決定部は、選択部により後に選択された動画コンテンツの階層順位を高くし、表示画面生成部は、階層順位の高い動画コンテンツを含む表示領域を手前に重ねて表示される表示画面を生成してもよい。
【００１１】
また、上記動画コンテンツ取得部により取得された動画コンテンツの特徴情報を抽出する特徴抽出部を備え、階層順位決定部は、特徴抽出部により抽出された動画コンテンツの特徴情報に応じて複数の表示領域の階層順位を決定してもよい。
【００１２】
また、上記選択部は、ユーザ操作に応じて、表示画面に含まれる表示領域を選択し、表示画面生成部は、選択部により選択された表示領域が手前に表示される表示画面を生成してもよい。
【００１３】
また、上記選択部は、ユーザ操作に応じて、表示画面に含まれる表示領域を選択し、表示画面生成部は、選択部により選択された表示領域を所望の方向に移動させた表示画面を生成してもよい。
【００１４】
また、上記表示画面生成部は、表示領域の移動量に応じて表示領域の大きさを変化させてもよい。
【００１５】
また、上記選択部は、ユーザ操作に応じて、表示画面に含まれる表示領域を選択し、表示画面生成部は、選択部により選択された表示領域を大きくさせ、選択部により選択されていない表示領域を小さくさせた表示画面を生成してもよい。
【００１６】
また、上記選択部は、ユーザ操作に応じて、表示画面に含まれる表示領域を選択し、表示画面生成部は、選択部により選択された表示領域に動画コンテンツの内容を示すタブを選択された表示領域に付加した表示画面を生成してもよい。
【００１７】
また、上記課題を解決するために、本発明の別の観点によれば、動画コンテンツを含む表示画面を生成する表示画面生成装置が、複数の動画コンテンツを取得するステップと、ユーザ操作に応じていずれかの動画コンテンツを選択するステップと、取得された動画コンテンツごとに再生される複数の表示領域を含み、複数の表示領域が奥行き方向に重ねて配置され、選択された動画コンテンツを含む表示領域ほど手前に重ねて表示される表示画面を生成するステップと、を含む、表示画面生成方法が提供される。
【００１８】
また、上記課題を解決するために、本発明の別の観点によれば、ユーザ操作に応じて選択された複数の動画コンテンツを含む複数の表示領域を有し、複数の動画コンテンツは動画コンテンツ毎に再生され、複数の表示領域は奥行き方向に重ねて配置され、
ユーザ操作により後に選択された動画コンテンツを含む表示領域ほど手前に重ねて表示される表示インターフェースが提供される。
【００１９】
また、奥行き方向に重ねて配置された表示領域は、奥に配置されるほど手前に配置された表示領域よりも小さく表示されるようにしてもよい。
【発明の効果】
【００２０】
以上説明したように本発明によれば、複数の動画コンテンツをユーザ操作に応じた順序で重ねて表示することができる。
【発明を実施するための最良の形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
まず、本発明の一実施形態にかかる表示画面生成装置１００の概要について説明する。表示画面生成装置１００としては、ＢＳ放送チューナー装置やＣＳ放送チューナー装置などの外部機器から複数の映像信号及び音声信号を入力することができるテレビジョン受像機（ＴＶ）やＤＶＤレコーダなどを例示できる。また、表示画面生成装置１００は、ディスプレイ等の表示装置を備える構成としてもよいし、表示装置とは別体の装置として構成するようにしてもよい。また、本実施形態にかかる表示画面生成装置１００は、複数のストリームを同時に処理して表示装置に複数の映像を同時に再生することが可能である。図１では、表示画面生成装置１００の一例としてテレビジョン受像機１００を例示して説明する。図１は、テレビジョン受像機１００の機能構成を示すブロック図である。
【００２３】
テレビジョン受像機１００は、システムコントローラ１０１、表示処理部１０２、表示装置１０３、手動操作検出処理部１０４、アンテナ１０５、受信部１０６、画像処理部１０７、音声処理部１０８、特徴抽出部１０９、記録処理部１１０、記録媒体１１１、再生処理部１１２、画像処理部１１３、音声処理部１１４、メモリ処理部１１５、入力インターフェース（Ｉ／Ｆ）１１６、リモコン１１７などを備える。
【００２４】
アンテナ１０５は、アナログの地上波または衛星放送、あるいはデジタルの地上波または衛星放送などの放送電波の受信を行い、受信部１０６に受信信号を出力する機能を有する。
【００２５】
受信部１０６は、アンテナ１０５から受信した信号を増幅及び検波し、映像信号と音声信号に分離し、それぞれ画像処理部１０７、音声処理部１０８に出力する。
【００２６】
画像処理部１０７は、受信部１０６から出力された映像信号の調整、符号化等を行って特徴抽出部１０９、記録処理部１１０に調整後の映像信号を出力する。音声処理部１０８は、受信部１０６から出力された音声信号の調整、符号化等を行って特徴抽出部１０９、記録処理部１１０に調整後の音声信号を出力する。
【００２７】
特徴抽出部１０９は、画像処理部１０７および音声処理部１０８から提供された画像信号および音声信号から特徴情報を抽出する機能を有する。当該特徴情報は、例えば、ユーザの嗜好等を加味した特定の画像や特定の音声等であり、予め設定されていてもよいし、ユーザ入力により指定されてもよい。
【００２８】
記録処理部１１０は、画像処理部１０７および音声処理部１０８から提供された画像信号および音声信号を記録媒体１１１に記録可能な形式に変換して記録する機能を有する。
【００２９】
記録媒体１１１は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリや、ハードディスクおよび円盤型磁性体ディスクなどの磁気ディスクや、ＣＤ−Ｒ（Ｃｏｍｐａｃｔ  Ｄｉｓｃ  Ｒｅｃｏｒｄａｂｌｅ）／ＲＷ（ＲｅＷｒｉｔａｂｌｅ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）／ＲＷ／＋Ｒ／＋ＲＷ／ＲＡＭ（Ｒａｎｄａｍ  Ａｃｃｅｓｓ  Ｍｅｍｏｒｙ）およびＢＤ（Ｂｌｕ−ｒａｙ  Ｄｉｓｃ（登録商標））―Ｒ／ＢＤ−ＲＥなどの光ディスクや、ＭＯ（Ｍａｇｎｅｔｏ  Ｏｐｔｉｃａｌ）ディスクなどの記憶媒体であってもよい。
【００３０】
再生処理部１１２は、記録媒体１１１から再生する映像信号および音声信号を取得して、それぞれ、画像処理部１１３および音声処理部１１４に提供する機能を有する。画像処理部１１３は、再生処理部１１２により提供された映像信号の復号等を行う機能を有する。音声処理部１１４は、画像処理部１１３により復号される映像信号に対応する音声信号の復号等を行う機能を有する。再生処理部１１２は、複数の映像信号および音声信号を取得して、画像処理部１１３および音声処理部１１４に提供する。そして、画像処理部１１３および音声処理部１１４によって、複数の映像信号および音声信号が復号される。
【００３１】
表示処理部１０２は、画像処理部１１３により復号された映像信号を表示装置１０３に送信する機能を有する。上記したように、画像処理部１１３により複数の映像信号が復号された場合には、表示処理部１０２は、複数の映像信号から多画面表示を実現する。また、多画面表示を実現する場合には、各画面のサイズおよび画面表示位置等を決定する機能を有する。また、映像信号に対応する音声信号を選択して表示装置１０３のスピーカに送信する機能を有する。
【００３２】
手動操作検出処理部１０４は、表示装置１０３の表示画面上でユーザ操作が行われた場合に、当該操作を検出する機能を有する。入力インターフェース（Ｉ／Ｆ）１１６は、ユーザによりリモコン１１７の操作が行われた場合に、当該操作を検出する機能を有する。上記したテレビジョン受像機１００の各構成は、システムコントローラ１０１によって統括管理されている。
【００３３】
表示装置１０３は、再生された画像データを表示デバイスに表示したり、再生された音声データを音声に変換して出力したりする機能を有する。表示デバイスとしては、例えば、ＣＲＴディスプレイ、液晶ディスプレイ、プラズマディスプレイ等を例示できる。以上、テレビジョン受像機１００の構成について説明した。
【００３４】
次に、図２を参照して、表示画面生成装置１００の表示画面生成にかかる機能構成について詳細に説明する。図２は、表示画面生成装置１００の表示画面生成にかかる機能構成を示すブロック図である。
【００３５】
図２に示したように、表示画面生成装置１００は、動画コンテンツ取得部１５０、選択部１５１、表示画面生成部１５２、階層順位決定部１５３、特徴抽出部１０９などを主に備える。
【００３６】
動画コンテンツ取得部１５０は、複数の動画コンテンツを取得する機能を有し、上記した再生処理部１１２を例示できる。動画コンテンツ取得部１５０は、取得した動画コンテンツを表示画面生成部１５２および特徴抽出部１０９に提供する機能を有する。
【００３７】
選択部１５１は、ユーザ操作に応じていずれかの動画コンテンツを選択する機能を有する。ユーザ操作は、上記したように、リモコン１１７による操作や手動操作１０３などを例示できる。選択部１５１は、図１のシステムコントローラ１０１の一部として機能することができ、入力インターフェース１１６や手動操作検出処理部１０４などからの出力信号に応じて動画コンテンツを選択するようにしてもよい。
【００３８】
例えば、選択部１５１は、ユーザ操作に応じて表示画面に表示された動画コンテンツを含む表示領域を選択するようにしてもよい。この場合、表示画面生成部１５２は、選択部１５１により選択された表示領域を手前に表示したり、選択された表示領域を所望の方向に移動させたりするようにしてもよい。また、選択部１５１により選択された表示領域を所望の方向に移動させるための移動タブを表示領域に付加した表示画面を生成したり、表示領域に含まれる動画コンテンツの内容を示すタブを表示領域に付加した表示画面を生成したりするようにしてもよい。選択部１５１は、どの動画コンテンツを選択するかを表示画面生成部１５２および階層順位決定部１５３に通知する。
【００３９】
表示画面生成部１５２は、動画コンテンツ取得部１５０により取得された動画コンテンツごとに再生される複数の表示領域を含み、複数の表示領域が奥行き方向に重ねて配置される表示画面を生成する機能を有する。また、表示画面生成部１５２は、選択部１５１により選択された動画コンテンツのうち、後に選択された動画コンテンツを含む表示領域ほど手前に重ねて表示される表示画面を生成する。さらに、奥行き方向に重ねて配置された表示領域が、奥に配置されるほど手前に配置された表示領域よりも小さく表示される表示画面を生成することもできる。
【００４０】
表示画面生成部１５２は、図１の表示処理部１０２を例示できる。表示画面生成部１５２により表示される表示画面については後で詳細に説明する。表示画面生成部１５２は、生成した表示画面を表示装置１０３に送信する。
【００４１】
階層順位決定部１５３は、選択部１５１による選択に応じて、表示領域の階層順位を決定する機能を有する。上記したように、選択部１５１によりユーザ操作に応じていずれかの動画コンテンツが選択されている。階層順位決定部１５３は、例えば、ユーザ操作により後で選択された動画コンテンツの階層順位を高くするようにしてもよい。階層順位決定部１５３は、決定した階層順位を表示画面生成部１５２に提供する。上記した表示画面生成部は、階層順位決定部１５３より提供された階層順位により、当該階層順位の高い表示領域を手前に重ねて表示される表示画面を生成する。
【００４２】
特徴抽出部１０９は、動画コンテンツ取得部１５０により取得された動画コンテンツの特徴情報を抽出する機能を有する。特徴抽出部１０９により抽出された動画コンテンツの特徴情報とは、例えば、ユーザの嗜好等に応じた特定の画像や特定の音声等であり、予め設定されていてもよいし、ユーザ入力により指定されてもよい。特徴抽出部１０９は、抽出した特徴情報を階層順位決定部１５３に提供する。
【００４３】
上記した階層順位決定部１５３は、特徴抽出部１０９から提供された特徴情報に応じて複数の表示領域の階層順位を決定する。例えば、ユーザの嗜好情報に基づいて動画コンテンツから特徴情報が抽出されている場合には、ユーザの嗜好順に階層順位を決定するようにしてもよい。以上、表示画面生成装置１００の表示画面生成にかかる機能構成について詳細に説明した。
【００４４】
次に、図３〜図１１を参照して、表示画面生成装置１００において生成される表示画面の例について説明する。図３は、ユーザに選択された順に番組が重ねて表示される表示画面の例を説明する説明図である。以下では、表示画面生成装置１００をテレビジョン受像機（ＴＶ）に適用し、テレビジョン受像機により複数の番組が受信され表示される場合について説明する。図３に示したように、ユーザにより、１０ａ、１０ｂ、１０ｃの順にチャンネル操作がなされて番組が変更された場合には表示画面１０が生成される。
【００４５】
表示画面１０には、ユーザにより選択された番組の動画コンテンツを含む複数の表示領域が奥行き方向に重ねて配置される。また、ユーザにより、後に選択された番組の動画コンテンツを含む表示領域ほど手前に重ねて表示される。すなわち、ユーザが１０ａ、１０ｂ、１０ｃの順に番組を選択すると、表示領域１０ａより表示領域１０ｂが手前に、表示領域１０ｂより表示領域１０ｃが手前に表示される。
【００４６】
また、表示画面１０に奥行き方向に重ねて配置された複数の表示領域は、奥に配置されるほど手前に配置された表示領域よりも小さく表示されるようにしてもよい。すなわち、表示画面１０の一番手前に表示されている表示領域１０ｃよりも表示領域１０ｂが小さく、表示領域１０ｂよりも表示領域１０ａが小さく表示されるようにしてもよい。これにより、表示画面１０に表示される複数の表示領域が、３次元的に配置されているように表示される。
【００４７】
また、ユーザにより番組が変更される毎に、過去に視聴した番組の動画コンテンツを含む表示領域の上に変更後の番組の動画コンテンツを含む表示領域が重ねて表示される。これにより、表示画面１０には、ユーザにより選択された番組の動画コンテンツを含む表示領域を時系列に重ねて配置することができる。
【００４８】
次に、図４を参照して、表示画面に表示された複数の表示領域がユーザにより選択された場合の表示画面の例を説明する。図４は、表示領域がユーザにより選択された場合の表示画面の例を説明する説明図である。図３と同様に、表示画面１１はユーザにより１つの番組が選択された場合、表示画面１２はユーザにより２つの番組が選択された場合、表示画面１３はユーザにより３つの番組が選択された場合を示している。
【００４９】
ユーザは、表示画面に表示された１つの表示領域を選択することができる。例えば、表示画面を実際に指差して表示領域の選択をしてもよいし、リモコン操作や音声認識によって表示領域を選択してもよい。また、ユーザ操作により、選択した表示領域を所望の方向に移動させるようにしてもよい。例えば、図４の表示画面１２に示したように、表示領域１２ｂを指差して選択し、右方向に表示領域１２ｂを引き出して移動させることができる。
【００５０】
リモコン操作による場合には、例えば、十字ボタン等の左右上下ボタンを押下することにより表示領域を移動させるようにしてもよい。音声認識による場合には、ユーザにより発声された「右」、「左」等の音声を認識して表示領域を移動させるようにしてもよい。
【００５１】
また、表示画面１３に示したように、表示領域１３ｂがユーザにより引き出されると、表示領域１３ｂの横方向の長さが変化するとともに、表示領域１３ａの縦横長さが変化するようにしてもよい。このように、表示画面に表示された表示領域をユーザ操作に応じて動的に変化させることができる。
【００５２】
次に、図５を参照して、表示画面に表示される表示領域にタブが付加される場合の表示画面の例について説明する。図５は、表示領域にタブが付加される場合の表示画面の例を説明する説明図である。表示領域に付加されるタブは、表示領域に表示される動画コンテンツの内容を示すものであり、例えば、チャンネル番号や番組のタイトルなどを例示できる。
【００５３】
図５に示したように、表示画面１４に表示された複数の表示領域のすべてにタブａ、タブｂ、タブｃが付加されるようにしてもよい。また、ユーザ操作に応じて表示領域にタブを表示させるようにしてもよい。例えば、表示画面１５に表示された表示領域１５ｂにユーザが指を近づけると自動的に表示領域１５ｂにタブが表示されるようにしてもよい。さらに表示画面１６に示したように、表示領域１６ｃに付加されたタブを指差して表示領域１６ｃを右方向に引き出すようにしてもよい。また、一番前面に表示されている表示領域１６ａのタブは表示させず、表示領域１６ａの後ろに配置された表示領域１６ｂ、１６ｃのタブのみを表示させるようにしてもよい。
【００５４】
次に、図６を参照して表示領域の引き出し方向について説明する。図６は、表示領域の引き出し方向について説明する説明図である。図６に示したように、複数の表示領域のうち１つの表示領域を引き出す方向は、表示画面１７に示した右方向だけでなく、ユーザの所望の方向に引き出すようにしてもよい。
【００５５】
例えば、表示画面１８に示したように左方向に引き出してもよいし、表示画面１９に示したように下方向に引き出してもよいし、表示画面２０に示したように上方向に引き出してもよい。また、表示画面１２に示したように右斜め方向に引き出してもよいし、表示画面２２に示したように左斜め方向に引き出してもよいし、表示画面２３に示したように左斜め下方向に引き出してもよいし、表示画面２４に示したように右斜め方向に引き出してもよい。
【００５６】
次に、図７を参照して、表示領域の移動量に応じて表示領域の大きさが変化する場合の表示例について説明する。図７は、表示領域の移動量に応じて表示領域の大きさが変化する場合の表示例について説明する説明図である。図７に示したように、表示画面２５に３つの表示領域が重ねて表示されている。この場合に、ユーザにより１つの表示領域が右斜め方向に引き出された場合について説明する。表示画面２６は、手前から奥行き方向２番目に配置されている表示領域がユーザにより右斜め上方向に引き出された場合の表示例である。
【００５７】
ユーザにより表示領域２６ｂが右斜め上方向に引き出された場合には、表示領域２６ｂの大きさを大きくし、表示領域２６ｂの手前に配置された表示領域２６ａの大きさを小さくするようにしてもよい。表示画面２７では、表示領域２７ｂがユーザ操作により右斜め上方向に引き出され、表示領域２７ｂの移動量に応じて表示領域２７ａの大きさが変化している。すなわち、表示領域２７ｂがユーザ操作により右斜め上方向に引き出されるほど、表示領域２７ａの大きさが小さくなるようにしてもよい。
【００５８】
次に図８を参照して、引き出された表示領域の配置位置について説明する。図８は、引き出された表示領域の配置位置について説明する説明図である。図８に示したように、表示画面２８に３つの表示領域が重ねて表示されている。この場合に、ユーザにより１の表示領域が右斜め方向に引き出された場合について説明する。表示画面２９は、手前から奥行き方向２番目に配置されている表示領域がユーザにより右斜め上方向に引き出された場合の表示例である。
【００５９】
ユーザにより表示領域２９ｂが右斜め上方向に引き出された場合には、表示領域２９ｂが表示領域２９ｂの手前に配置された表示領域２９ａの手前に表示され、複数の表示領域のうち一番手前に配置されるようにしてもよい。さらに、表示画面３０に示したように、表示領域３０ｂが右斜め上方向に引き出された場合には、表示領域３０ｂの移動量に応じて表示領域３０ａの大きさを変化させるようにしてもよい。すなわち、表示領域３０ｂがユーザ操作により右斜め上方向に引き出されるほど、表示領域３０ａの大きさが小さくなるようにしてもよい。
【００６０】
次に、図９を参照して、表示領域にマルチ画面が含まれる表示例について説明する。図９は、表示領域にマルチ画面が含まれる表示例について説明する説明図である。図９に示したように、複数の表示領域のうち、所望の表示領域をマルチ画面にするようにしてもよい。表示画面３１では、表示領域３１ｂがマルチ画面となっている。ここでマルチ画面とは、表示領域が複数に分割され、分割された表示領域に１の動画コンテンツの異なる区間がそれぞれ再生されている画面をいう。例えば、動画コンテンツがサッカーの試合であった場合には、分割された表示領域に、サッカーの試合の複数の所定区間を繰り返し再生するようにしてもよい。
【００６１】
次に、図１０を参照して、１つの動画コンテンツの複数画像が表示される場合の表示例について説明する。図１０は、１つの動画コンテンツの複数画像が表示される場合の表示例について説明する説明図である。図１０に示したように、例えば、表示画面３２では、１つの動画コンテンツの複数の区間を再生する表示領域を重ねて表示している。表示画面３２に表示された各表示領域には、１つの動画コンテンツの所定区間が繰り返し再生されている。
【００６２】
また、１つの動画コンテンツの複数の区間を再生する表示領域が重ねて表示されている  場合に、１の表示領域を選択して所望の方向に引き出すようにしてもよい。表示画面３３では、２つの表示領域が重ねて表示され、表示領域３３ｂが右方向に引き出された場合の表示例を示している。例えば、動画コンテンツがサッカーの試合であった場合には、奥行き方向に重ねられた表示領域に、サッカーの試合の複数の所定区間を繰り返し再生するようにしてもよい。
【００６３】
次に、図１１を参照して、表示領域が奥行き方向に重ねられた表示画面が複数表示される場合の表示例を説明する。図１１は、表示領域が奥行き方向に重ねられた表示画面が複数表示される場合の表示例を説明する。図１１に示したように、表示画面３５は、上記したマルチ画面であって、表示画面の表示領域が複数に分割されている。そして、分割された表示領域に複数の表示領域が重ねて表示されている。
【００６４】
重ねて表示される表示領域には、例えば１つの動画コンテンツの所定区間が繰り返し再生されていてもよい。また、１週間分の全チャンネルの動画コンテンツが記録されている場合には、１週間分の動画コンテンツを１日単位で重ねて表示するようにしてもよい。以上、表示画面生成装置１００において生成される表示画面の例について説明した。
【００６５】
次に、図１２を参照して、表示画面生成装置１００における表示画面生成方法について説明する。図１２に示したように、表示領域の階層順を示すｎを０に設定して初期設定をする（Ｓ１０２）。そして、ユーザにより選択された動画コンテンツを階層表示するか否かを判定する（Ｓ１０４）。ステップＳ１０４において動画コンテンツを階層表示すると判定された場合には、階層表示処理を行う（Ｓ１０６）。ステップＳ１０６における階層表示処理とは、例えば、ユーザにより選択された動画コンテンツの階層順を決定したり、１つの動画コンテンツの複数区間の階層順を決定したりする処理を行う。
【００６６】
そして、ユーザが階層画面を見るか否かを判定する（Ｓ１１０）。ステップＳ１１０において、ユーザにより階層画面が視聴される場合には、リモコン操作がなされるか否かを判定する（Ｓ１１２）。ステップＳ１１２においてリモコン操作がなされると判定された場合には、リモコン操作に応じて動画コンテンツを選択したり、表示領域を選択したりする（Ｓ１１４）。
【００６７】
また、ステップＳ１１２においてリモコン操作ではないと判定された場合には、手動操作に応じて動画コンテンツを選択したり、表示領域を選択したりする（Ｓ１１６）。そして、ステップＳ１１４またはステップＳ１１６において選択された動画コンテンツを重ねて表示したり、選択された表示領域をユーザ操作に応じて表示したりする（Ｓ１１８）。そして、階層表示を終了するか否かが判定され（Ｓ１２０）、階層表示を終了する場合には処理を終了する。ステップＳ１２０において階層表示を終了しないと判定された場合には、ステップＳ１０４〜ステップＳ１２０の処理を繰り返す。以上、表示画面生成装置１００における表示画面生成方法について説明した。
【００６８】
本実施形態にかかる表示画面生成装置によれば、取得された複数の動画コンテンツを複数の表示領域が奥行き方向に重ねて配置される表示画面が生成される。当該動画コンテンツは、ユーザ操作に応じて選択され、後に選択された動画コンテンツを含む表示領域ほど手前に重ねて表示される表示画面が生成される。これにより、複数の動画コンテンツをユーザ操作に応じた順序で重ねて表示することが可能となる。ユーザによるリモコン操作等により複数の動画コンテンツが選択されるだけで、過去に視聴した動画コンテンツの表示領域に重ねてユーザの視聴したい動画コンテンツを手前の表示領域に再生することができる。
【００６９】
また、表示された複数の動画コンテンツを含む表示領域のなかから１つの表示領域を選択して、当該表示領域の大きさや配置を手動操作やリモコン操作により自在に操ることが可能となる。これにより、ユーザは、視聴したい番組の動画コンテンツや、視聴したいシーンの動画コンテンツをユーザの視聴しやすい大きさや配置で視聴することが可能となる。
【００７０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００７１】
【図１】本発明の第１の実施形態にかかるテレビジョン受像機１００の機能構成を示すブロック図である。
【図２】同実施形態にかかる表示画面生成装置の表示画面生成にかかる機能構成を示すブロック図である。
【図３】同実施形態にかかるユーザに選択された順に表示される表示画面の例を説明する説明図である。
【図４】同実施形態にかかるユーザにより選択された場合の表示画面の例を説明する説明図である。
【図５】同実施形態にかかる表示領域にタブが付加される場合の表示画面の例を説明する説明図である。
【図６】同実施形態にかかる表示領域の引き出し方向について説明する説明図である。
【図７】同実施形態にかかる表示領域の移動量に応じて表示領域の大きさが変化する場合の表示例について説明する説明図である。
【図８】同実施形態にかかる引き出された表示領域の配置位置について説明する説明図である。
【図９】同実施形態にかかる表示領域にマルチ画面が含まれる表示例について説明する説明図である。
【図１０】同実施形態にかかる１つの動画コンテンツの複数画像が表示される場合の表示例について説明する説明図である。
【図１１】同実施形態にかかる表示領域が奥行き方向に重ねられた表示画面が複数表示される場合の表示例を説明する説明図である。
【図１２】同実施形態にかかる表示画面生成装置における表示画面生成方法を示すフローチャートである。
【符号の説明】
【００７２】
１００    表示画面生成装置
１０１    システムコントローラ
１０２    表示処理部
１０３    表示装置
１０４    手動操作検出処理部
１０５    アンテナ
１０６    受信部
１０７、１１３  画像処理部
１０８、１１４  音声処理部
１０９    特徴抽出部
１１０    記録処理部
１１１    記録媒体
１１２    再生処理部
１１５    メモリー処理部
１１６    入力インターフェース
１１７    リモコン
１５０    動画コンテンツ取得部
１５１    選択部
１５２    表示画面生成部
１５３    階層順位決定部
【図１】
2009265258.tif 000003
【図２】
2009265258.tif 000004
【図３】
2009265258.tif 000005
【図４】
2009265258.tif 000006
【図５】
2009265258.tif 000007
【図６】
2009265258.tif 000008
【図７】
2009265258.tif 000009
【図８】
2009265258.tif 000010
【図９】
2009265258.tif 000011
【図１０】
2009265258.tif 000012
【図１１】
2009265258.tif 000013
【図１２】
2009265258.tif 000014